(57)【要約】【課題】画像形成装置に関し、特に、画像形成装置の操作方法をユーザに示す技術に関する。【解決手段】画像形成装置５０は、識別子が割当てられた、所定の処理の実行指示を受けるための複数の操作キー、及び、表示部を有する操作部７４と、各操作キーに関する動画と当該操作キーの識別子とを対応付けて記憶するためのＨＤ（Ｈａｒｄ  Ｄｉｓｃ）８２と、操作部７４、及びＨＤ８２等に、それぞれ接続される機器制御部７８とを含む。操作部７４よりユーザの動画登録開始指示を受けた後、機器制御部７８は、ユーザの押下の順に操作キーの識別子をＨＤ８２に記憶する。操作部７４よりユーザの動画表示指示を受けた後、機器制御部７８は、動画登録の際、ＨＤ８２に記憶された識別子を押下の順に読出し、さらに、読出した識別子に対応する動画をＨＤ８２から読出して表示部に表示する。【選択図】        図３
2009122184.tif 000002
【特許請求の範囲】
【請求項１】
画像イメージを形成し印刷するための画像形成手段と、
前記画像形成手段を制御するための、ユーザによる操作を受ける操作部と、
表示装置と、
第１の動作モード及び第２の動作モードを指定するための動作モード指定手段と、
第１の記憶手段と、
前記第１の動作モード時に、ユーザによる、前記操作部に対する一連の操作を前記第１の記憶手段に登録するための操作登録手段と、
前記第２の動作モード時に所定の指示を受けると、前記第１の記憶手段に登録された一連の操作に関連付けられた動画を、前記一連の操作の順番にしたがって前記表示装置に表示するための動画再生手段とを含む、画像形成装置。
【請求項２】
前記第１の動作モード時に、ユーザによる前記操作部に対する操作を識別して、当該操作を特定する識別子を出力するための操作識別手段をさらに含み、
前記第１の記憶手段は、前記第１の動作モード時に、前記操作識別手段が出力する一連の識別子からなる識別子列を記憶するための識別子列記憶手段を含み、
前記動画再生手段は、前記第２の動作モード時に所定の指示を受けると、前記識別子記憶手段に記憶された一連の識別子に関連付けられた動画を、前記一連の識別子の順番にしたがって前記表示装置に表示するための手段を含む、請求項１に記載の画像形成装置。
【請求項３】
前記画像形成装置はさらに、前記識別子に関連付けられた動画を記憶するための第２の記憶手段を含み、
前記表示するための手段は、
前記第２の動作モード時に、前記所定の指示を受けると、前記識別子列記憶手段に記憶された識別子列の識別子を先頭から順番に読出すための読出手段と、
前記読出手段により読出された識別子に対応する動画を、前記第２の記憶手段から順番に読出して前記表示装置に表示するための手段とを含む、請求項２に記載の画像形成装置。
【請求項４】
前記読出手段により連続して読出された第１及び第２の識別子に対応する第１及び第２の動画において、先行する第１の動画の終端画像と、後続する第２の動画の先頭画像との間に、両画像を補間した補間動画を挿入するための動画挿入手段をさらに含み、
前記表示するための手段は、前記第１の動画と、前記第２の動画との間に、前記動画挿入手段により挿入された補間動画を表示することを特徴とする、請求項３に記載の画像形成装置。
【請求項５】
前記画像形成装置はさらに、前記識別子に関連付けられた、前記表示装置上の位置を記憶するための第２の記憶手段と、
前記表示装置上に表示される、操作の背景となる背景画像と、前記背景画像上に重ねて表示される操作指示画像とを記憶するための第３の記憶手段とを含み、
前記表示するための手段は、
前記第２の動作モード時に、前記所定の指示を受けると、前記識別子列記憶手段に記憶された識別子列の識別子を先頭から順番に読出すための第１の読出手段と、
前記第１の読出手段により読出された識別子と関連付けられた位置を、前記第２の記憶手段から読出すための第２の読出手段と、
前記第３の記憶手段に記憶された前記背景画像に、前記第３の記憶手段に記憶された前記操作指示画像を、前記第２の読出手段により読出された位置とは異なる位置に重ねて表示した後、前記操作指示画像を前記第２の読出手段により読出された位置まで移動させながら表示する動画を合成するための動画合成手段と、
前記動画合成手段により合成された動画を、前記第１の読出手段により読出された識別子の順番に前記表示装置に表示するための手段とを含む、請求項２に記載の画像形成装置。
【請求項６】
前記読出手段により連続して読出された第１及び第２の識別子に対応して前記動画合成手段により合成された第１及び第２の動画において、先行する第１の動画の終端画像と、後続する第２の動画の先頭画像との間に、両画像を補間した補間動画を挿入するための動画挿入手段をさらに含み、
前記表示するための手段は、前記第１の動画と、前記第２の動画との間に、前記動画挿入手段により挿入された補間動画を表示することを特徴とする、請求項５に記載の画像形成装置。
【請求項７】
前記第１の記憶手段は複数個の記憶領域に分割され、
前記画像形成装置はさらに、前記複数個の記憶領域のいずれかをユーザに指定させるための指定手段を含み、
前記操作登録手段は、前記第１の動作モード時に、ユーザによる、前記操作部に対する一連の操作を、前記複数個の記憶領域のうちの、前記指定手段により指定された記憶領域に登録するための手段を含み、
前記動画再生手段は、前記第２の動作モード時に所定の指示を受けると、前記複数個の記憶領域のうち、前記指定手段により指定された記憶領域に登録された一連の操作に関連付けられた動画を、前記一連の操作の順番にしたがって前記表示装置に表示するための手段を含む、請求項１に記載の画像形成装置。
【請求項８】
前記操作部は、一連の操作の開始を前記画像形成装置に指示するためのスタートキーと、前記第２の動作モードから前記第１の動作モードに設定するためにユーザが操作する動作モード設定キーとを含み、
前記動作モード指定手段は、
前記第２の動作モード時に前記動作モード設定キーが操作されたことに応答して、前記画像形成装置の動作モードを前記第１の動作モードに設定するための手段と、
前記第１の動作モード時に前記スタートキーが操作されたことに応答して、前記画像形成装置の動作モードを前記第２の動作モードに設定するための手段とを含む、請求項１〜請求項７のいずれかに記載の画像形成装置。
【発明の詳細な説明】
【技術分野】
【０００１】
本発明は、画像読取機能及び情報送信機能を有する画像形成装置に関し、特に画像形成装置の操作方法をユーザに示す技術に関する。
【背景技術】
【０００２】
従来使用されてきたコピー機は、コピー、プリンタ、ファクシミリ（以下「ＦＡＸ」と呼ぶ。）、スキャナ及びネットワーク通信等の機能を備える、画像形成装置に置換えられつつある。
【０００３】
画像形成装置は多機能であるため、この一台で、従来のコピー機では実現不可能な処理を実行する。例えば、画像形成装置は、カラーイメージをスキャナ機能で読取り、これをプリントした上、カラーイメージを白黒化しＦＡＸ送信することができる。ユーザはこの一連の処理で構成されるある一まとまりの機能を実現するため、スキャン機能、プリント機能、ＦＡＸ機能のそれぞれについて、画像形成装置一台に対して一連の操作を連続して行なう必要がある。
【０００４】
このことは、裏返して言えば、従来のコピー機に比べて画像形成装置が複雑な操作を必要とするものであるともいえる。このため、ユーザにとって画像形成装置は、ある処理のために必要な操作を記憶したり、その操作を他の人に説明したりするのが困難なものとなる場合があった。
【０００５】
特許文献１に開示の技術では、特定の問題が生じた時の操作方法を示す動画を表示面に表示し、ユーザ指示に応じて次の操作を示す動画を表示する。本技術により、ユーザは画像形成装置の操作方法を知ることができる。さらに、ユーザはある操作が終了した際に、次の操作方法を表示するよう指示することができる。このため、ある操作の途中に次の操作方法へ画面が切り替わるなどして、正しい操作方法が分からなくなることを回避することができる。
【特許文献１】特開２００５−２０８３３５号公報
【発明の開示】
【発明が解決しようとする課題】
【０００６】
しかし、特許文献１に記載の技術では、表示する操作方法は予め決められた特定のものである。一方、画像処理装置の場合、使用ユーザ及び環境に依存して、一連の処理で実現しようとする機能は様々であり、そのために必要な一連の操作方法も様々である。特許文献１に開示の技術はこれに対応していない。
【０００７】
したがって本発明の目的は、画像形成装置において、任意の構成を持つ一連の操作方法を分かりやすくユーザに提示するための技術を提供することである。
【０００８】
本発明の別の目的は、画像処理装置の使用ユーザ及び環境に対応して、任意の構成を持つ操作方法を提示するための技術を提供することである。
【課題を解決するための手段】
【０００９】
本願発明の第１の局面に係る画像形成装置は、画像イメージを形成し印刷するための画像形成手段と、画像形成手段を制御するための、ユーザによる操作を受ける操作部と、表示装置と、第１の動作モード及び第２の動作モードを指定するための動作モード指定手段と、第１の記憶手段と、第１の動作モード時に、ユーザによる、操作部に対する一連の操作を第１の記憶手段に登録するための操作登録手段と、第２の動作モード時に所定の指示を受けると、第１の記憶手段に登録された一連の操作に関連付けられた動画を、一連の操作の順番にしたがって表示装置に表示するための動画再生手段とを含む。
【００１０】
本画像形成装置において、ユーザにより第１の動作モードが指定される場合、操作登録手段は、ユーザの操作部に対する一連の操作を第１の記憶手段に登録する。ユーザにより第２の動作モードが指定され、さらに、所定の指示を受けた場合、動画再生手段は第１の記憶手段に登録された一連の操作に関連付けられた動画を、一連の操作の順番にしたがって表示装置に表示する。
【００１１】
本画像形成装置において、実際の操作を操作部に対して行なうことにより、任意の構成を持つ一連の操作方法を説明するための動画を作成及び表示することができる。ユーザは、簡単な方法により、画像処理装置の使用ユーザ及び環境に応じて、任意の構成を持つ操作方法を示す動画シーケンスを作成及び表示させることができる。
【００１２】
好ましくは、画像形成装置は、第１の動作モード時に、ユーザによる操作部に対する操作を識別して、当該操作を特定する識別子を出力するための操作識別手段をさらに含む。第１の記憶手段は、第１の動作モード時に、操作識別手段が出力する一連の識別子からなる識別子列を記憶するための識別子列記憶手段を含む。動画再生手段は、第２の動作モード時に所定の指示を受けると、識別子記憶手段に記憶された一連の識別子に関連付けられた動画を、一連の識別子の順番にしたがって表示装置に表示するための手段を含む。
【００１３】
本画像形成装置において、ユーザの各操作には識別子が割当てられ、第１の動作モードが指定された場合、ユーザの一連の操作は、これに対応する一連の識別子からなる識別子列として記憶される。第２の動画モードが指定され、さらに、所定の指示を受けた場合、動画再生手段は、記憶された識別子にそれぞれ関連する動画、すなわち、当該識別子により特定される操作に関連する動画を、識別子列の順番にしたがって表示する。
【００１４】
動画マニュアルを作成する際、実際の操作にそれぞれ割当てられた識別子が、操作の順番に記憶される。動画マニュアルが表示される際は、記憶された識別子により特定された操作に関連する動画が、操作の順番にしたがって表示される。ユーザは、簡単な作業により、画像処理装置の使用ユーザ及び環境に応じた動画シーケンスを作成及び表示させることができる。
【００１５】
より好ましくは、画像形成装置はさらに、識別子に関連付けられた動画を記憶するための第２の記憶手段を含む。表示するための手段は、第２の動作モード時に、所定の指示を受けると、識別子列記憶手段に記憶された識別子列の識別子を先頭から順番に読出すための読出手段と、読出手段により読出された識別子に対応する動画を、第２の記憶手段から順番に読出して表示装置に表示するための手段とを含む。
【００１６】
本画像形成装置において、識別子により特定される操作に関する動画が、識別子に関連付けて予め記憶されている。第１の動作モード時に一連の操作に対する識別子列が記憶された後、第２の動作モードが指定され、所定の指示を受けた場合、識別子列の識別子に関連付けられた動画が、識別子列の順序にしたがい表示される。このことにより、ユーザによる操作部に対する一連の操作に対応した、動画シーケンスが作成され表示される。
【００１７】
より好ましくは、画像形成装置は、読出手段により連続して読出された第１及び第２の識別子に対応する第１及び第２の動画において、先行する第１の動画の終端画像と、後続する第２の動画の先頭画像との間に、両画像を補間した補間動画を挿入するための動画挿入手段をさらに含む。表示するための手段は、第１の動画と、第２の動画との間に、動画挿入手段により挿入された補間動画を表示することを特徴とする。
【００１８】
動画シーケンスの表示において、先に読出された動画の終端画像と、その次に読出された動画の先頭画像との間には相違がある。本画像形成装置において、一連の動画表示の際、前述の両画像を補間する補間動画が挿入される。動画と動画との合間にこれをつなぐ動画が挿入され表示される。これにより、一連の動画はより滑らかな表示となり、より分かりやすい動画シーケンスとなる。
【００１９】
好ましくは、画像形成装置はさらに、識別子に関連付けられた、表示装置上の位置を記憶するための第２の記憶手段と、表示装置上に表示される、操作の背景となる背景画像と、背景画像上に重ねて表示される操作指示画像とを記憶するための第３の記憶手段とを含む。表示するための手段は、第２の動作モード時に、所定の指示を受けると、識別子列記憶手段に記憶された識別子列の識別子を先頭から順番に読出すための第１の読出手段と、第１の読出手段により読出された識別子と関連付けられた位置を、第２の記憶手段から読出すための第２の読出手段と、第３の記憶手段に記憶された背景画像に、第３の記憶手段に記憶された操作指示画像を、第２の読出手段により読出された位置とは異なる位置に重ねて表示した後、操作指示画像を第２の読出手段により読出された位置まで移動させながら表示する動画を合成するための動画合成手段と、動画合成手段により合成された動画を、第１の読出手段により読出された識別子の順番に表示装置に表示するための手段とを含む。
【００２０】
第２の記憶手段は、識別子と、表示画面上の特定の位置とを関連付けて記憶する。第３の記憶手段は、操作部を含む背景画像と、背景画像に重ねて表示されるための、操作指示する態様の画像とを記憶する。第２の動作モード時に、所定の指示を受けると、表示画面は操作部を含む背景画像の上に、これを操作指示する態様の画像を、読出された識別子と関連付けられた特定の位置とは異なる位置に、重ねて表示する。その後、操作指示する態様の画像を、特定の位置まで移動させながら表示する。このような動画の表示を各識別子が読出される順序に応じて行なう。
【００２１】
本画像装置において、動画シーケンスが表示される際に、登録時に登録された操作に関する動画がリアルタイムで作成される。このため、予め各動作に関する動画を記憶しておく必要が無い。
【００２２】
より好ましくは、画像形成装置は、読出手段により連続して読出された第１及び第２の識別子に対応して動画合成手段により合成された第１及び第２の動画において、先行する第１の動画の終端画像と、後続する第２の動画の先頭画像との間に、両画像を補間した補間動画を挿入するための動画挿入手段をさらに含み、表示するための手段は、第１の動画と、第２の動画との間に、動画挿入手段により挿入された補間動画を表示することを特徴とする。
【００２３】
動画が表示される際、先に合成される動画の終端画像と、その次に合成される動画の先頭画像との間には相違がある。本画像形成装置において、一連の動画表示の際、前述の両画像を補間する補間動画が挿入され、動画と動画の合間にこれをつなぐ動画が挿入され表示される。これにより、一連の動画はより滑らかな表示となり、より分かりやすい動画マニュアルとなる。
【００２４】
好ましくは、第１の記憶手段は複数個の記憶領域に分割される。画像形成装置はさらに、複数個の記憶領域のいずれかをユーザに指定させるための指定手段を含む。操作登録手段は、第１の動作モード時に、ユーザによる、操作部に対する一連の操作を、複数個の記憶領域のうちの、指定手段により指定された記憶領域に登録するための手段を含む。動画再生手段は、第２の動作モード時に所定の指示を受けると、複数個の記憶領域のうち、指定手段により指定された記憶領域に登録された一連の操作に関連付けられた動画を、一連の操作の順番にしたがって表示装置に表示するための手段を含む。
【００２５】
第１の動作モード時には、複数個の記憶領域のうち指定されたものに、一連の操作が登録される。このため、本画像形成装置には複数個の一連の操作を登録することができる。第２の動作モード時に所定の指示を受けた場合も同様で、複数個の記憶領域のうち指定された情報をもとに動画が表示されるため、本画像形成装置には、複数個の一連の動画の表示が可能である。
【００２６】
好ましくは、操作部は、一連の操作の開始を画像形成装置に指示するためのスタートキーと、第２の動作モードから第１の動作モードに設定するためにユーザが操作する動作モード設定キーとを含む。動作モード指定手段は、第２の動作モード時に動作モード設定キーが操作されたことに応答して、画像形成装置の動作モードを第１の動作モードに設定するための手段と、第１の動作モード時にスタートキーが操作されたことに応答して、画像形成装置の動作モードを第２の動作モードに設定するための手段とを含む。
【００２７】
ユーザが動作モード設定キーを操作すると、動作モードは、操作を登録するための第１の動作モードに設定される。その後ユーザがスタートキーを操作すると、動作モードは、操作の表示を行なうための第２の動作モードに設定される。これらの動作モード設定により、任意の構成を持つ操作方法を示す動画シーケンスを作成及び表示が可能となる。スタートキーは一連の操作の最後に操作されるため、一連の操作の登録を自然な手順で修正できる。
【発明を実施するための最良の形態】
【００２８】
以下、本発明の実施の形態に係る画像形成装置について説明する。以下の説明及び図面では、同一の部品には同一の参照符号及び名称を付してある。それらの機能も同一である。したがって、それらについての詳しい説明は繰返さない。
【００２９】
［第１の実施の形態］
本願発明の第１の実施の形態に係る画像形成装置は、ある一連の処理からなる一まとまりの機能を実現するために、実際にユーザが操作キー及びボタン等に対して行なう一連の操作を再現するための情報を記録し、要求に応じてその一連の操作方法を示す動画シーケンスを作成する。
【００３０】
図１及び図２に、操作方法を説明する動画シーケンスの一例を示す。この動画シーケンス１０は、画像形成装置にカラー原稿を読取らせた後、このカラー原稿を予め登録されたアドレスへ送信するための一連の操作を説明している。動画シーケンス１０は、人差し指で操作キーを順に押していく態様をとる。
【００３１】
図１及び図２を参照して、本実施の形態では、このような動画シーケンスを作成するため、ユーザが画像形成装置に動画登録開始の指示を与えた後、動画２０、２２、２４、２６、２８、３０、３２、及び３４によって示される順序でユーザが当該操作キーを押下し、さらに登録終了の指示を与えればよい。
【００３２】
このように、本画像形成装置によれば、簡単に一連の操作方法を説明するための動画シーケンスを作成することができる。このため、画像形成装置のユーザは、画像形成装置が使用される環境に応じて必要な動画マニュアルを容易に作成することができる。なお、以降、動画シーケンスの作成作業を「動画登録」と呼ぶ。
【００３３】
−構成−
図３に、本発明の第１の実施の形態に係る画像形成装置の一例として、デジタル複合機５０の構成をブロック図形式で示す。
【００３４】
図３を参照して、デジタル複合機５０は、電話回線網４０と、インターネット４２と、ネットワーク４４とに接続され使用される。電話回線網４０にはＦＡＸ５２等が接続されており、デジタル複合機５０は、電話回線網４０を介してＦＡＸ５２等と通信を行なうことができる。同様に、インターネット４２にはインターネットＦＡＸ５４及びＰＣ（Ｐｅｒｓｏｎａｌ  Ｃｏｍｐｕｔｅｒ）５６等が、ネットワーク４４には端末５８Ａ，５８Ｂ等が接続されており、デジタル複合機５０はインターネット４２及びネットワーク４４を介してこれらとそれぞれ通信を行なうことができる。なお、図３において、細い実線矢印はシグナルラインを、白抜き矢印はデータラインを、それぞれ示す。
【００３５】
デジタル複合機５０は、ユーザから画像形成の制御に関する指示を受けるための操作パネルを含む操作部７４を含む。
【００３６】
操作部７４は、ユーザの入力に応答して入力信号を出力する入力キー７４ａと、表示部７４ｃ、及び、表示部７４ｃに重ねて設けられた透明タッチパネル７４ｂとを含む。表示部７４ｃに操作キーの画像を表示し、透明タッチパネル７４ｂ上のユーザがタッチした位置の座標を知ることにより、ユーザがどの操作キーの画像を押下したかが分かる。その結果、ユーザの操作に応じた処理を実現することができる。こうした処理はソフトウェアで実現できる。したがって、このように表示部７４ｃと透明タッチパネル７４ｂとにより実現される操作キーを、以下「ソフトキー」と呼ぶ。ソフトキーは、表示部７４ｃ上に表示される操作キーの画像と、それに対応する機能とを関係付け、表示部７４ｃに表示される画面を適宜切替えることにより、非常に多くの種類の操作キーを有限な面積の操作パネルを用いて実現できる。また、ソフトキーの形状も自由に設計できるため、機械的なキーと比較してインターフェイスの自由度を高めることができ、デジタル複合機５０等の多機能な装置のためのユーザインタフェースとして好適である。
【００３７】
デジタル複合機５０は、さらに、原稿画像を読取るための画像読取部７２を含む。
【００３８】
画像読取部７２は、読取位置にセットされた原稿を検出しその旨を示す信号を出力するための原稿検知センサ７２ｂと、操作部７４より原稿読取りの指示を受けたことに応答して、原稿をスキャンするための同期信号を発生するための信号発生回路７２ｃと、操作部７４より原稿読取りの指示を受け、かつ原稿検知センサ７２ｂから原稿検出の信号を受けたことに応答して起動し、信号発生回路７２ｃからの同期信号に同期して原稿画像を順次読取って画像データを出力するためのＣＣＤ（Ｃｈａｒｇｅ−Ｃｏｕｐｌｅｄ  Ｄｅｖｉｃｅ）７２ａとを含む。
【００３９】
デジタル複合機５０は、さらに、画像読取部７２により出力された画像データ、及び外部から受信した画像形成用データに基づいて画像イメージを形成し、印刷するための画像形成部７６と、必要に応じて画像形成部７６に記憶されている画像に対して画像処理を行なうための画像処理部７０とを含む。
【００４０】
画像形成部７６は、画像読取部７２及び画像処理部７０に接続され、ＣＣＤ７２ａより出力された画像データ、外部から受信した画像形成用データ、及び印刷のために作成された画像イメージ等を記憶するためのメモリ７６ａと、メモリ７６ａから出力されたデータを受けるように接続され、これを印刷するためのＬＳＵ（レーザ走査ユニット）からなる印字部７６ｂと、メモリ７６ａに接続され、メモリ７６ａに蓄積されたデータの符号化を行なったり、与えられたデータを復号化し、これをメモリ７６ａへ出力したりするための暗号化・復号化部７６ｃとを含む。
【００４１】
なお印字部７６ｂは、記録用紙を給紙するための、図示しない給紙カセット及び手差しトレイを含む。
【００４２】
デジタル複合機５０は、さらに、電話回線網４０に接続されＦＡＸ５２等と通信を行なうためのＦＡＸモデム８６と、ネットワーク４４に接続され、外部装置及び端末５８Ａ，５８Ｂ等との間でデータ等の送受信を行なうための通信部８０と、画像形成部７６に接続され、画像形成部７６に形成されたデータを格納するためのＨＤ（Ｈａｒｄ  Ｄｉｓｋ）８２と、画像読取部７２、操作部７４、画像形成部７６、通信部８０、及びＦＡＸモデム８６にそれぞれ接続され、これらを所定のプログラムにしたがって制御し、デジタル複合機５０の操作方法を説明するための動画シーケンスの登録及び表示機能、並びに、デジタル複合機としての一般的機能を実現するための機器制御部７８とを含む。
【００４３】
機器制御部７８は、統合的な制御を行なうものであり、操作部７４の入力キー７４ａ及びソフトキーが受ける入力指示、並びに、通信部８０を介した外部装置及び端末５８Ａ，５８Ｂ等からの入力指示を監視する。機器制御部７８は、これらの入力指示に応答して、原稿画像を読取り記録用紙に印刷する複写モード、外部装置及び端末５８Ａ，５８Ｂ等からの画像を受信して記録用紙に記録するプリンタモード、原稿画像を読取り外部装置及び端末５８Ａ，５８Ｂ等に送信するスキャナモード、及び、電話回線網４０を介してデータをＦＡＸ５２等と送受信する等のＦＡＸモード、等の各種のモードのいずれかを適宜に実行するため、画像読取部７２、画像形成部７６、及び通信部８０等を制御する。また、機器制御部７８は、モードの実行に際し、デジタル複合機５０の状態に関する情報、使用者に通知すべき情報等を操作部７４の表示部７４ｃに適宜表示する。
【００４４】
機器制御部７８は、上述した所定のプログラムを実行することにより、上述した機能を実現する、図示しないＣＰＵ（Ｃｅｎｔｒａｌ  Ｐｒｏｃｅｓｓｉｎｇ  Ｕｎｉｔ）、並びに、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）を含む。
【００４５】
なお、上述した機器制御部７８の機能を実現するためのプログラムは、ＨＤ８２に記憶される。
【００４６】
デジタル複合機５０は、さらに、機器制御部７８に接続され、機器制御部７８により制御される各部に関する情報を管理するための管理部８４と、機器制御部７８及びＨＤ８２にそれぞれ接続され、機器制御部７８の指示に従い管理部８４に格納されたデータを消去するための消去部８８とを含む。
【００４７】
図４に、操作部７４の具体的な一例を示す。図４を参照して、操作部７４が備える入力キー７４ａは、複写モード、プリンタモード、スキャナモード、及びＦＡＸモード等を設定するためのキー、システム設定キー９０、テンキー、クリアキー、並びにスタートキー９２等を含む。なお、入力キー７４ａ及びソフトキーには、それらを一意に識別するＩＤ（Ｉｄｅｎｔｉｆｉｃａｔｉｏｎ  Ｎｕｍｂｅｒ）が割振られており、各キーが押下されると、操作部７４は操作されたキーの識別子を出力し、機器制御部７８に与える機能を持つ。
【００４８】
図５に、図４に示すシステム設定キー９０をユーザが押下することにより表示部７４ｃに表示される、操作方法を示す動画に係るメニュー画面１００を示す。図５を参照して、メニュー画面１００は、ユーザが操作の登録及び表示を指定する際に操作する動画登録ボタン１１０及び動画表示ボタン１１２を含む。
【００４９】
図６に、図４に示す動画登録ボタン１１０が押下された場合に表示部７４ｃに表示される、動画登録メニュー画面１２０を示す。図６を参照して、動画登録メニュー画面１２０は、Ｍ１ボタン１３０、Ｍ２ボタン１３２、及びＭ３ボタン１３４を含む。これらのボタンは、図３に示すＨＤ８２内の特定の記憶領域を指定する。これらのボタンのいずれかを押下すると、デジタル複合機５０の動作モードは一連の操作を登録する操作登録モードになり、スタートキー９２を押すまでの一連の操作を特定する情報が各ボタンと関連付けて記憶装置に登録される。実際にはこの情報は、各キーのＩＤからなるＩＤ列である。これについては後述する。
【００５０】
図７に、図５に示す動画表示ボタン１１２が押下された場合に表示部７４ｃに表示される、動画表示メニュー画面１４０を示す。図７を参照して、動画表示メニュー画面１４０は、図６の同様のＭ１ボタン１５０、Ｍ２ボタン１５２、及びＭ３ボタン１５４を含む。これらのボタンのいずれかを押下すると、デジタル複合機５０の動作モードは操作表示モードとなり、登録された一連の操作に関連付けられた動画が、その順番にしたがって表示部７４ｃに表示される。例えばここでＭ１ボタン１５０を押すと、図６に示されるＭ１ボタン１３０を押したときに記録された一連の操作に基づき、動画シーケンスの表示が行なわれる。これについては後述する。
【００５１】
図８は、図３に示すＨＤ８２に含まれ、デジタル複合機５０の操作方法を示す動画の登録及び表示を行なうための記憶領域を説明するための模式図である。なお、以降、説明のために、図６及び図７に示す、Ｍ１ボタン１３０及び１５０、Ｍ２ボタン１３２及び１５２、並びに、Ｍ３ボタン１３４及び１５４を一括して「Ｍボタン」と呼ぶ。なおこれら情報は、デジタル複合機５０の動作時には適宜ＨＤ８２から読出され、図３に示す機器制御部７８中の図示しないメモリに保持され、必要に応じてＨＤ８２に保存される。
【００５２】
図８を参照して、ＨＤ８２は、図６に示す動画登録メニュー画面１２０において、ユーザが押下したＭボタンを特定する情報を記憶するための領域１８０と、図６に示す動画登録メニュー画面１２０においてユーザがいずれかのＭボタンを押下した後、図４に示す入力キー７４ａ及びソフトキーのうちで、ユーザが押下した一連のキーの各々を識別するＩＤを、押下の順番にＩＤ列として一時的に記憶するための領域１８２と、操作の記録時に、スタートキー９２が押されたことに応答して、領域１８２に一時的に記憶されていたＩＤ列を、領域１８０に記憶された情報により特定されるＭボタンに割当てられた記憶領域に上書きし登録するための領域１８４と、図４に示す入力キー７４ａ及びソフトキーを操作する際の手の画像を含む動画を、各キーのＩＤに関連付けて格納するための領域１８６とを含む。以降、便宜上、各キーのＩＤに対応付けられた動画データをそのキーに対応する「動画」と呼び、複数の動画が後述する処理により連続して表示される場合の動画データ全体を「動画シーケンス」と呼ぶ。
【００５３】
図１０及び図１１は、図６及び図７に示す各Ｍボタンが押下されたことに応答して起動され、図３に示す機器制御部７８により実行される、動画登録及び表示を行なうためのプログラムの制御構造を示すフローチャートである。
【００５４】
図１０を参照して、図６に示すＭボタン１３０、１３２又は１３４が操作されたときに起動される、動画登録を行なうためのプログラムは、起動時に一連の操作を記憶する操作登録モードか否かを示すフラグをオンに設定するステップＳ３００と、Ｓ３００に続き、ユーザにより押下されたＭボタンを特定する情報を、図８に示す領域１８０に記憶するＳ３０２と、Ｓ３０２の後に実行され、図８に示す領域１８２をクリアし、処理を終了するＳ３０４とを含む。以後、このフラグを「動作モードフラグ」と呼ぶ。動作モードフラグがオンであれば操作登録モードであり、動作モードフラグがオフであれば操作表示モードである。動作モードフラグは、図６に示すＭボタン１３０，１３２及び１３４のいずれかが押下されるとオンに設定され、その後にスタートキー９２が押されるとオフに設定される。
【００５５】
図１１を参照して、図７に示すＭボタン１５０、１５２又は１５４が操作されたときに起動される、動画シーケンスの表示を行なうプログラムは、変数ｉに０を代入するＳ３０６と、Ｓ３０６の後に実行され、変数ｉに１を加算するＳ３０８と、Ｓ３０８の後に実行され、変数ｉの値が、領域１８４のうち、操作されたＭボタンに対応する領域に格納されたＩＤ列の行数（この行数を「ｍａｘ」と呼ぶ。）より大きいか否かを判定し、判定結果に応じて制御を分岐させるステップＳ３１０とを含む。Ｓ３１０においてｉ＞ｍａｘであると判定された場合は、Ｓ３１２において動画表示を終了した旨のメッセージが表示され、このプログラムの実行は終了される。
【００５６】
このプログラムはさらに、Ｓ３１０においてｉ＞ｍａｘでは無いと判定されたことに応答して実行され、領域１８４内の、操作されたＭボタンに対応する記憶領域のｉ行目のＩＤを読出し、そのＩＤに対応する動画を領域１８６から読出して表示した後、処理をＳ３０８に戻すＳ３１４とを含む。
【００５７】
以上の図１１に示されるプログラムにより、領域１８４から読出されたＩＤに対応する動画を、領域１８６から順番に読出して表示部７４ｃに表示するという動作が実現される。
【００５８】
図１２は、図４に示す入力キー７４ａ及びソフトキーのうち、スタートキー９２を除くいずれかが押下されたことに応答して起動される、機器制御部７８が実行するプログラムの制御構造を示すフローチャートである。これらプログラムは、入力キー７４ａ及びソフトキーに割当てられた機能ごとに別々のブログラムである。しかし、制御構造はいずれも同じである。したがって、ここではこれらプログラムに共通する制御構造を示す。
【００５９】
図１２を参照して、このプログラムは、動作モードフラグがオンであるか否かを判定し、判定結果に応じて制御の流れを分岐させるＳ３２０と、Ｓ３２０において動作モードフラグがオンであると判定されたことに応答して実行され、図８に示す領域１８２の最後尾に、当該キーのＩＤを記憶するＳ３２２と、Ｓ３２０において動作モードフラグがオンでは無いと判定されたことに応答して実行され、当該キーにより操作登録モード時以外のときに実現されるべき通常処理を行なうＳ３２４とを含む。Ｓ３２２及びＳ３２４の後、処理は終了する。この通常処理の内容はキーにより異なる。
【００６０】
図１３は、図４に示すスタートキー９２が押下されることにより起動され、機器制御部７８が実行するプログラムの制御構造を示すフローチャートである。
【００６１】
図１３を参照して、このプログラムは、動作モードフラグがオンであるか否かを判定し、判定結果に応じて制御の流れを分岐させるＳ３４０と、Ｓ３４０において動作モードフラグがオンであると判定されたことに応答して実行され、領域１８２の最後尾にスタートキー９２のＩＤを格納するＳ３４１と、Ｓ３４１の後に実行され、領域１８２が記憶しているＩＤ列を、領域１８４内の、領域１８０に記憶されている情報により特定されるＭボタンに対応する記憶領域に格納するＳ３４２と、Ｓ３４２の後、動作モードフラグをオフして処理を終了するＳ３４４と、Ｓ３４０において動作モードフラグがオンでは無いと判定されたことに応答して実行され、スタートキー９２により実現される通常の動作を行なって処理を終了するＳ３４６とを含む。
【００６２】
−動作−
以上に構成を説明したデジタル複合機５０は以下のように動作する。なお、以下の説明において、便宜上、デジタル複合機５０に係る全ての構成要素の主電源は常時投入されているものとする。
【００６３】
図９に、動画登録及び表示に係る、ユーザの手順及びデジタル複合機５０の処理の順序をフローチャート形式で示す。図９を参照して、動画登録及び表示のため、手順（以下「Ｐ」と呼ぶ。）２１０においてユーザは図４に示すシステム設定キー９０を押す。
【００６４】
図３を参照して、ユーザが図４に示すシステム設定キー９０を押下する（図９中、Ｐ２１０）と、システム設定キー９０はその旨を示す信号を機器制御部７８に出力する。機器制御部７８はこれに応答して、表示部７４ｃを制御し、図５に示すメニュー画面１００を表示する（Ｐ２１２）。Ｐ２１２において、デジタル複合機５０は、表示部７４ｃに、図５に示す動画登録ボタン１１０及び動画表示ボタン１１２を含むメニュー画面１００を表示させる。
【００６５】
（１）動画登録時
ここで、ユーザが動画登録ボタン１１０を押下すると（Ｐ２１４）、透明タッチパネル７４ｂはその旨を示す信号を機器制御部７８に出力する。機器制御部７８は、表示部７４ｃに図６に示す動画登録メニュー画面１２０を表示させる。
【００６６】
ユーザが動画登録メニュー画面１２０のＭボタンのうちの何れかを押下すると（Ｐ２１６）、これに応答して、機器制御部７８は図１０に制御構造を示すプログラムを起動し、その結果、動作モードフラグがオンされる（図１０のＳ３００）。機器制御部７８は、操作されたＭボタンを特定する情報を、図８に示すＨＤ８２内の領域１８０に記憶し（Ｓ３０２）、領域１８２をクリアして（Ｓ３０４）処理を終了する。
【００６７】
その後、ユーザが図４に示す入力キー７４ａ及びソフトキーのいずれかを押下する（Ｐ２１８）たびに、図１２に制御構造を示す、当該キーに対応するプログラムが起動される。
【００６８】
図１２を参照して、このプログラムの実行時、動作モードフラグはオンしている。したがって制御はＳ３２２に進み、機器制御部７８は、図８に示すＨＤ８２内の領域１８２の最後尾に、操作されたキーのＩＤを記憶してこのプログラムは終了する。図９のＰ２１８の循環する矢印２１９によって示されるように、この操作は必要な数だけ繰返される。すなわち、一連の操作手順が、操作されたキーのＩＤ列の形で領域１８２に蓄積される。
【００６９】
ユーザが図４に示すスタートキー９２を押下（Ｐ２２０）すると、図１３に制御構造を示すプログラムが起動される。動作モードフラグはオンしているので、Ｓ３４０における判定結果はＹＥＳとなり、制御はＳ３４１に進む。
【００７０】
機器制御部７８は、スタートキー９２のＩＤを領域１８２のＩＤ列の末尾に記憶した後（Ｓ３４１）、このＩＤ列を、領域１８４内の、領域１８０に記憶された情報により特定されるＭボタンに対応する記憶領域に上書きして格納する（Ｓ３４２）。機器制御部７８はさらに、動作モードフラグをオフに設定し（Ｐ２２２、Ｓ３４４）処理を終了する。
【００７１】
（２）動画表示時
システム設定キー９０押下後、ユーザが図５に示す動画表示ボタン１１２を押した場合（Ｐ２２４）、機器制御部７８は表示部７４ｃを制御して図７に示す動画表示メニュー画面１４０を表示する。ここでユーザがＭボタンのうちの何れかを押下すると（Ｐ２２６）、図１１に制御構造を示すプログラムが起動される。Ｓ３０６で変数ｉに０が設定される。続くＳ３０８〜Ｓ３１４の処理によって、機器制御部７８は、領域１８４内の当該Ｍボタンに対応する記憶領域のＩＤ列のＩＤを、変数ｉの値にしたがって１行目から順に読出し、図８に示すＨＤ８２内の領域１８６に格納された動画のうち、読出されたＩＤにより識別される動画を表示する（Ｓ３１４）。動画の表示が終了すると、次のＩＤを読出す。機器制御部７８は、この処理を最終行のＩＤまで繰返す。すべてのＩＤについて動画の表示が終了すると、機器制御部７８は表示部７４ｃに動画シーケンス表示が終了した旨の表示を行なう（Ｐ２３０、Ｓ３１２）。
【００７２】
（３）通常動作
Ｍボタンの押下が無い状態で、図４に示す、システム設定キー９０及びスタートキー９２を除く入力キー７４ａ及びソフトキーが押下された場合、図１２に制御構造を示すプログラムが起動される。この場合は動作モードフラグはオフなので、Ｓ３２４において、当該ボタンに割当てられた通常処理が実行される。またスタートキー９２が押下された場合には、図１３に示すプログラムが実行される。動作モードフラグはオフなので、制御はＳ３４６に進み、スタートキー９２に割当てられた通常処理が実行される。
【００７３】
このように、本画像形成装置によれば、簡単に一つの機能を実現するための一連の操作方法を説明するための動画シーケンスをユーザが作成及び表示することができる。このため、画像形成装置の使用される環境に応じて、画像形成装置の各々のユーザは、任意の操作シーケンスを説明するために必要な動画マニュアルを簡単に作成することができる。
【００７４】
［第２の実施の形態］
本願発明の第２の実施の形態は、第１の実施の形態と同様であるが、動画シーケンス表示の際、先行する動画と後続する動画との間で、手が滑らかに移動するように表示することで、滑らかな動画シーケンスの表示を実現する。
【００７５】
−構成−
図１４は、本実施の形態に係るデジタル複合機において、図１１に制御構造を示すプログラムに代えて、図７に示すＭボタン１５０、１５２及び１５４が操作されたときに起動される、動画シーケンスの表示を行なうプログラムの制御構造を示すフローチャートである。なお、このデジタル複合機のハードウェア構成は図３に示す第１の実施の形態のものと同様である。
【００７６】
図１４を参照して、このプログラムは、図１１に制御構造を示すプログラムと同様、Ｓ３０６，Ｓ３０８，Ｓ３１０，Ｓ３１２及びＳ３１４を含むが、図１０に示すＳ３１０とＳ３１４との間に、ｉ＝１であるか否かを判定し、判定結果に応じて制御を分岐させるＳ３６０と、Ｓ３６０においてｉ＝１でないと判定された場合に実行され、先行する動画と後続する動画との間で画像を補間することで、手を滑らかに移動させる動画を表示するＳ３６２とを新たに含む点で図１１に示すものと異なる。なお、Ｓ３６０でｉ＝１であると判定された場合には、その直前の動画は存在していないため、補間は不要である。そのためこの場合には制御はＳ３１４に進む。
【００７７】
−動作−
Ｓ３６２では、以下のようにして先行する動画と後続する動画との間を補間する。繰返し回数をｉとすると、先行する動画は、押下されたＭボタンに対応する記憶領域から読出されたｉ−１行目のＩＤに対応する動画である。一方、Ｓ３６２では、ｉ行目のＩＤに対応する、後続する動画が読出される。先行する動画の終端画像での手の位置から、後続する動画の先頭画像での手の位置までの間の距離を所定数（二つの画像の間に配置すべきフレーム数）で分割する。この計算により、二つの画像をつなぐ各フレームでの手の位置が特定でき、これら位置に手の画像を配置したフレームを、先行する動画の終端画像から後続する動画の先頭画像の間に配置して順次表示する。この結果、ｉ−１行目のＩＤに対応する動画の終端画像の手の位置から、ｉ行目のＩＤに対応する動画の始発画像の手の位置まで手を移動させる表示が実現できる。この後、処理をＳ３１４に進めることで、先行する動画から後続する動画まで、手の位置を滑らかにつないで表示することができる。
【００７８】
なお、この場合の手の画像の補間として最も簡単なものは、二つの画像の間の距離を、「挿入すべき画像の数−１」で等分し、それらの位置に手の画像を順に配置する、というものである。
【００７９】
以上のように、本実施の形態によれば、操作説明の動画シーケンスは、個々の動画と動画との間での手の動きが滑らかになり、一連の動作を説明することについてより分かりやすい動画シーケンスとなる。
【００８０】
なお、補間方法は上記した実施の形態には限定されない。たとえば、先行する動画の終端画像における手の位置と、後続する動画の終端画像における手の位置とを何らかの曲線軌道で結ぶようにし、この間で手の画像の位置を順次移動させるようにしてもよい。また、手の画像の位置を移動させる割合は、補間画像の先頭と最後とで移動速度が遅く、中間で早くなるように変化させることもできる。
【００８１】
［変形例］
上記した実施の形態では、各キーに関する動画は図３に示すＨＤ８２に予め格納されている。しかし本発明はそのような実施の形態には限定されない。キーの押下により一連の操作手順が登録された後、登録された操作手順を一連の動画シーケンスとして表示できるのであればどのような態様で動画を作成しても良い。例えば、動画の表示時にリアルタイムで登録された各キー操作の動画を作成し、それらを順に表示することで動画シーケンスを表示するようにしてもよい。
【００８２】
例えば、機器制御部７８は、図４に示す操作部７４の一部を示す背景イメージと、人差し指が何かを指す手のイメージとを予め記憶しておく。さらに、当該キーのＩＤに関係付けて、表示部７４ｃ内の特定の座標を予め記憶しておく。この特定の座標とは、動画表示において、当該キーを含む前述の背景イメージが表示部７４ｃに表示される際の当該キーの表示位置を代表する座標である。以降これを代表座標と呼ぶ。操作登録モードにおいて押下された一連の操作キーのＩＤ列が記憶された後、操作表示モードにおいて、機器制御部７８は以下の態様で動画表示を実行する。表示部７４ｃに、操作部７４の背景イメージ上で、登録されていたキーの代表座標より所定量だけずれた位置（多くはキーの画像より少し上の位置）に手のイメージを表示する。その後、そのキー位置まで手のイメージを移動させる。このことで、あるキーを操作する動画がリアルタイムで合成できる。こうした動画を、記憶されている一連の操作キーのＩＤ列に準じてリアルタイムで合成し、表示することで、第１の実施の形態と同様の表示が可能である。さらに、先行する動画の終端画像と後続する動画の先頭画像との間でこれらを補間する動画を同様にリアルタイムで合成することで、第２の実施の形態と同様の表示も実現できる。この場合には、全てのキーに対する動画を予め記憶しておく必要はない。
【００８３】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【００８４】
【図１】本願発明の第１の実施の形態に係る動画シーケンスの前半の表示態様を説明するための模式図である。
【図２】本願発明の第１の実施の形態に係る動画シーケンスの後半の表示態様を説明するための模式図である。
【図３】第１の実施の形態に係るデジタル複合機５０の概略ブロック図である。
【図４】図３に示す操作部７４の詳細を示す図である。
【図５】動画に係るメニュー画面１００を示す図である。
【図６】動画登録メニュー画面１２０を示す図である。
【図７】動画表示メニュー画面１４０を示す図である。
【図８】図３に示すＨＤ８２に含まれる、動画登録及び表示を実現するための記憶領域を説明するための図である。
【図９】動画登録及び表示のための手順を示したフローチャートである。
【図１０】図３に示す機器制御部７８が実行する、第１の実施の形態に係る、動画登録を実現するためのプログラムを示すフローチャートである。
【図１１】図３に示す機器制御部７８が実行する、第１の実施の形態に係る、動画表示を実現するためのプログラムを示すフローチャートである。
【図１２】図３に示す機器制御部７８が実行する、ユーザのキー押下により動画登録を実現するためのプログラムのフローチャートである。
【図１３】図３に示す機器制御部７８が実行する、図４に示すスタートキー９２が押下されたことにより起動される、動画登録の終了処理を行なうためのプログラムのフローチャートである。
【図１４】本願発明の第２の実施の形態に係る、動画表示を実現するためのプログラムを示すフローチャートである。
【符号の説明】
【００８５】
５０  デジタル複合機
７０  画像処理部
７２  画像読取部
７２ａ  ＣＣＤ
７２ｂ  原稿検知センサ
７２ｃ  信号発生回路
７４  操作部
７４ａ  操作キー
７４ｂ  透明タッチパネル
７４ｃ  表示部
７６  画像形成部
７６ａ  メモリ
７６ｂ  印字部
７６ｃ  暗号化複合化部
７８  機器制御部
８０  通信部
８２  ＨＤ
８４  管理部
８６  ＦＡＸモデム
８８  消去部
【図１】
2009122184.tif 000003
【図２】
2009122184.tif 000004
【図３】
2009122184.tif 000005
【図４】
2009122184.tif 000006
【図５】
2009122184.tif 000007
【図６】
2009122184.tif 000008
【図７】
2009122184.tif 000009
【図８】
2009122184.tif 000010
【図９】
2009122184.tif 000011
【図１０】
2009122184.tif 000012
【図１１】
2009122184.tif 000013
【図１２】
2009122184.tif 000014
【図１３】
2009122184.tif 000015
【図１４】
2009122184.tif 000016